(57)【要約】【課題】本発明は、画像を効率的に管理可能な撮像装置又は撮像装置システム又はコンピュータプログラムを提供することを目的とする。【構成】本発明における撮像装置は、撮像素子２１と、画像ファイルを記憶する記憶媒体２９と、記憶媒体２９に記憶されている画像ファイルのファイル名が記載された転送リストと、外部入出力端部１２と、前記転送リストに記載された画像ファイルを外部出力部１２より出力させる制御部２０とを具備する。【選択図】図２
2006331413.tif 000002
【特許請求の範囲】
【請求項１】
撮像素子と、
画像ファイルを記憶する記憶媒体と、
前記記憶媒体に記憶されている画像ファイルのファイル情報が記載されたリストファイルと、
画像データを記憶可能な記憶装置と接続され、前記記憶媒体に記憶されている画像ファイルを該記憶装置に送信可能な外部出力部と、
前記リストファイルに記載された画像ファイルを前記外部出力部より出力させる制御部とを具備することを特徴とする撮像装置。
【請求項２】
被写体像を画像ファイルに変換する撮像部と、
該画像ファイルを記憶する記憶媒体と、
画像データを記憶可能な記憶装置と接続され、該記憶装置から画像ファイルを受信可能な外部入力部と、
前記記憶装置より画像ファイルを受信する際に、該画像ファイルを記録するための受信用フォルダを前記記憶媒体に作成し、受信した画像ファイルを前記受信用フォルダ内に記憶させる制御部とを具備することを特徴とする撮像装置。
【請求項３】
請求項２に記載の撮像装置において、
前記制御部は、前記外部入力部に接続された前記記憶装置より画像ファイルを受信する際に、前記記憶装置からの信号に応じて前記受信用フォルダを前記記憶媒体に作成し、受信した画像ファイルを前記記憶装置からの信号に応じて前記受信用フォルダに記憶させることを特徴とする撮像装置。
【請求項４】
請求項２に記載の撮像装置において、
前記制御部は、前記外部入力部に接続された前記記憶装置より画像ファイルを受信した際に、前記受信用フォルダに記録された画像ファイルのファイル情報を含むリストファイルを作成し、該リストファイルを前記記憶媒体に記憶することを特徴とする撮像装置。
【請求項５】
請求項２に記載の撮像装置において、
前記制御部は、前記外部入力部に接続された前記記憶装置より画像ファイルを受信した際に、前記受信用フォルダに記録された画像ファイルのファイル情報を含むリストファイルを前記記憶装置より受信し、該リストファイルを前記記憶媒体に記憶することを特徴とする撮像装置。
【請求項６】
請求項５又は６に記載の撮像装置において、
前記ファイル情報とは、画像ファイル名および該画像ファイルのファイルパスであることを特徴とする撮像装置。
【請求項７】
撮像装置と記憶装置とからなる撮像装置システムであって、
前記撮像装置は、
被写体像を画像ファイルに変換する撮像部と、
該画像ファイルを記憶する記憶媒体と、
前記前記記憶装置と接続され、該記憶装置から画像ファイルを受信可能な外部入力部と、
前記記憶装置より画像ファイルを受信する際に、該画像ファイルを記録するための受信用フォルダを前記記憶媒体に作成し、前記外部入力部より受信した画像ファイルを前記受信用フォルダに記憶させる制御部とを有し、
前記記憶装置は、
画像データを記録する記憶装置の記憶媒体と、
前記撮像装置と接続され、該撮像装置へ画像ファイルを送信可能な記憶装置外部出力部と、
ユーザーからの操作される操作部と、
前記操作部による操作入力に応じて、前記記憶装置の記憶媒体に記憶されている前記画像データを前記記憶装置外部出力部に接続された前記撮像装置に送信する記憶装置制御部とを具備することを特徴とする撮像装置システム。
【請求項８】
請求項７に記載の撮像装置システムにおいて、
前記撮像装置はさらに、
前記記憶媒体に記録されている画像データを表示する表示部を具備し、
前記記憶装置はさらに、
前記記憶装置制御部により前記記憶装置の記憶媒体に記憶されている画像データを前記撮像装置に送信する際に、前記画像データが前記撮像装置によって前記表示部に表示可能か否かを判定する画像判定部とを有し
前記記憶装置制御部は、前記判定部により送信する前記画像データが前記表示部によって表示不可と判定された際には、該画像データを前記表示部で表示可能な形式に変換した後に前記撮像装置に送信することを特徴とする撮像装置システム。
【請求項９】
請求項７に記載の撮像装置システムにおいて、
前記撮像装置はさらに、
前記記憶媒体に記録されている画像データを表示する表示部を具備し、
前記記憶装置はさらに、
前記記憶装置の記憶媒体に作成された転送用フォルダと、
前記記憶装置の記憶媒体に記憶された画像データを前記転送用フォルダ内に記録する際に、該画像データが前記撮像装置によって前記表示部に表示可能か否かを判定し、前記画像データが前記表示部に表示不可と判定された際には、該画像データを前記表示部で表示可能な形式に変換した後に前記転送用フォルダに記録する判定部とを有し
前記記憶装置制御部は、前記転送用フォルダ内に記憶されている前記画像データを前記撮像装置に送信することを特徴とする撮像装置システム。
【請求項１０】
請求項７乃至９に記載の撮像装置システムにおいて、
前記制御部は、さらに、前記外部入力部に接続された前記記憶装置より画像ファイルを受信した際に、前記受信用フォルダに記録された画像ファイルのファイル情報を含むリストファイルを作成し、該リストファイルを前記記憶媒体に記憶させ、
前記記憶装置制御部は、さらに、前記記憶装置外部出力部に接続された前記撮像装置へ画像ファイルを送信した際に、該送信された前記記憶装置の記憶媒体に記録された画像ファイルのファイル情報を含むリストファイルを作成し、該リストファイルを前記記憶装置の記憶媒体に記憶させることを特徴とする撮像装置システム。
【請求項１１】
請求項７乃至９に記載の撮像装置システムにおいて、
前記制御部は、さらに、前記外部入力部に接続された前記記憶装置より画像ファイルを受信した際に、前記受信用フォルダに記録された画像ファイルのファイル情報を含むリストファイルを前記記憶装置より受信し、該リストを前記記憶媒体に記憶させ、
前記記憶装置制御部は、さらに、前記記憶装置外部出力部に接続された撮像装置へ画像ファイルを送信した際に、該送信された前記記憶装置の記憶媒体に記録された画像ファイルのファイル情報を含むリストファイルを作成し、該リストファイルを前記記憶装置の記憶媒体に記憶させることを特徴とする撮像装置システム。
【請求項１２】
画像データを表示可能な表示部を有する撮像装置に接続される記憶装置を制御するためのコンピュータプログラムであって、
前記記憶装置の記憶媒体に転送用フォルダを作成するステップと、
前記記憶装置の記憶媒体に記憶された画像データが前記転送用フォルダ内に記録される際に、該画像データが前記記憶媒体に接続されている前記撮像装置によって表示可能か否かを判定し、前記画像データが前記表示部で表示できないと判定された際には、該画像データを前記表示部で表示可能な形式に変換した後に前記転送用フォルダに記録するステップと、
前記転送用フォルダ内に記憶されている前記画像データを、接続されている前記撮像装置に送信するステップとを、
実行可能なコンピュータプログラム。
【発明の詳細な説明】
【技術分野】
【０００１】
撮像装置および撮像装置システムおよびコンピュータプログラムに関する
【背景技術】
【０００２】
従来より、デジタルカメラは、パーソナルコンピューターとを接続することにより、デジタルカメラ内の記憶媒体に記憶されている画像ファイルをパーソナルコンピューターへ転送可能である。また、近年記録媒体の大容量化にともない、デジタルカメラ内の記憶媒体も大容量化されている。
【発明の開示】
【発明が解決しようとする課題】
【０００３】
しかし、上述したようにデジタルカメラ内の記憶媒体の大容量化に伴い、デジタルカメラ内に記憶されている画像ファイル数およびファイルサイズが拡大しているため、デジタルカメラとパーソナルコンピューターを接続したさいに、デジタルカメラ内の全ての画像データを転送するのに時間がかかり、効率的ではない。
【０００４】
本発明は、画像を効率的に管理可能な撮像装置又は撮像装置システム又はコンピュータプログラムを提供することを目的とする。
【課題を解決するための手段】
【０００５】
本発明を適用した撮像装置は、撮像素子と、画像ファイルを記憶する記憶媒体と、前記記憶媒体に記憶されている画像ファイルのファイル情報が記載されたリストファイルと、画像データを記憶可能な記憶装置と接続され、前記記憶媒体に記憶されている画像ファイルを該記憶装置に送信可能な外部出力部と、前記リストファイルに記載された画像ファイルを前記外部出力部より出力させる制御部とを具備する。
【０００６】
本発明を適用した撮像装置は、被写体像を画像ファイルに変換する撮像部と、該画像ファイルを記憶する記憶媒体と、画像データを記憶可能な記憶装置と接続され、該記憶装置から画像ファイルを受信可能な外部入力部と、前記記憶装置より画像ファイルを受信する際に、該画像ファイルを記録するための受信用フォルダを前記記憶媒体に作成し、受信した画像ファイルを前記受信用フォルダ内に記憶させる制御部とを具備する。
【０００７】
本発明にを適用した撮像装置とコンピュータとからなる撮像装置システムにおいて、
前記撮像装置は、被写体像を画像ファイルに変換する撮像部と、該画像ファイルを記憶する記憶媒体と、前記前記記憶装置と接続され、該記憶装置から画像ファイルを受信可能な外部入力部と、前記記憶装置より画像ファイルを受信する際に、該画像ファイルを記録するための受信用フォルダを前記記憶媒体に作成し、前記外部入力部より受信した画像ファイルを前記受信用フォルダに記憶させる制御部とを有し、
前記記憶装置は、画像データを記録する記憶装置の記憶媒体と、前記撮像装置と接続され、該撮像装置へ画像ファイルを送信可能な記憶装置外部出力部と、ユーザーからの操作される操作部と、前記操作部による操作入力に応じて、前記記憶装置の記憶媒体に記憶されている前記画像データを前記記憶装置外部出力部に接続された前記撮像装置に送信する記憶装置制御部とを具備する。
【０００８】
本発明を適用したコンピュータプログラムは、前記記憶装置の記憶媒体に転送用フォルダを作成するステップと、前記記憶装置の記憶媒体に記憶された画像データが前記転送用フォルダ内に記録される際に、該画像データが前記記憶媒体に接続されている前記撮像装置によって表示可能か否かを判定し、前記画像データが前記表示部で表示できないと判定された際には、該画像データを前記表示部で表示可能な形式に変換した後に前記転送用フォルダに記録するステップと、前記転送用フォルダ内に記憶されている前記画像データを、接続されている前記撮像装置に送信するステップとを実行可能となる。
【発明の効果】
【０００９】
本発明における撮像装置又は撮像システム又はコンピュータプログラムは画像データを効率的に管理できる。
【発明を実施するための最良の形態】
【００１０】
発明を適用した実施の形態におけるデジタルカメラ１について、図面を基に説明する。
デジタルカメラ１の斜視図を図１に示す。デジタルカメラ１は、レンズ一体型デジタルカメラである。
＜構成＞
デジタルカメラ１のカメラボディ上面には電源釦２、レリーズ釦３が配置されている。またカメラボディ背面には、モード切換スイッチ４、ズームスイッチ５、ファンクション釦６、リングセンサ７、決定釦８、メニュー釦９、削除釦１０、背面液晶１１が配置されている。側面には入出力端子１２が配置されている。
【００１１】
モード切換スイッチ４はスライド式の切換スイッチであり、本実施の形態ではカメラの動作モードの切換時に用いられる。ズームスイッチ５は、周知のワイドスイッチ（Wスイッチ）とテレスイッチ（Tスイッチ）の２つのスイッチからなる複合スイッチであり、撮像ズームレンズのズーム倍率を変更する際等に用いられる。ファンクション釦６は、各カメラの動作モードで実行するファンクションメニューを表示するためのスイッチである。リングセンサ７は、圧力の変化を感知する圧力感知式のリング状タッチセンサが配置されたものであり、該センサを指等で時計回り（以後、右回りとする）又は半時計回り（以後、左回りとする）に操作する（なぞる）ことにより、メニューの選択表示や、選択されたAFエリアの選択表示等の選択項目の選択状態を示す選択枠等の表示をスクロール移動させる。
【００１２】
なお、リングセンサ７は、圧力感知式のリング状タッチセンサとしたが、リング形状に沿った回転操作を感知するものであればこれに限るものではない。例えば、リングセンサの素材を静電気による電気信号を感知する静電式のリング状タッチセンサとしても良く、また、リング状で回転可能に設置された回転ダイアルスイッチや、リング状にセンサもしくはスイッチを少なくとも４個以上配置したもの等でも良い。
【００１３】
リングセンサ７の下には押圧式のスイッチである上釦７a、下釦７ｂ、左釦７ｃ、右釦７ｄが配置されている。メニュー釦９は、デジタルカメラ１の動作設定を行うためのメニュー画面を背面液晶１１に表示させるためのスイッチである。釦削除１０は画像表示モードの際に背面液晶１１に選択表示されている撮像済み画像を削除するためのスイッチである。
【００１４】
入出力端子１２は、パーソナルコンピューター（以後PCとする）、プリンター等の外部機器と通信可能とするための接続ケーブルが接続される入出力端子である。本実施の形態におけるデジタルカメラ１では、入出力端子１２はUSB端子である。
＜ブロック＞
以下、本実施の形態におけるデジタルカメラ１の構成部材での基本的な処理についてブロック図を基に説明する。デジタルカメラ１のブロック図を図２に示す。
＜制御部＞
制御部２０は、ＣＰＵ等を含み上記接続された部材をコントロールする。
＜撮像及び画像処理＞
撮像素子２１は、不図示の撮像レンズにより結像した被写体像を電気信号に変換するＣＣＤやＣＭＯＳ等の固体撮像素子である。撮像素子２１は、制御部２０等の制御により、画像信号の読み出し等の制御や、電子シャッターの制御駆動等が行われる。撮像素子２１から読み出された画像信号は画像処理部２２に送られる。画像処理部２２は画像信号に対し、ノイズ除去、Ａ／Ｄ変換、色補間処理、サイズ変更、符号化等の処理を必要に応じて行い、背面液晶１１に表示する表示用画像データや、記録用画像データ等を作成する。該記録用画像データは大容量記憶媒体２９に記憶され、表示用画像データは液晶制御部２３により背面液晶部２４に表示される。なお、記録用画像データを、ＥＥＰＲＯＭ２７や外部メモリ２８等に記憶するとしても良い。
＜記録処理＞
ＲＡＭ２５は、制御部２０及び画像処理部２２等が処理を行う際にデータの一時的な保存場所などに利用される。ＲＯＭ２６は、デジタルカメラ１の作動に必要なプログラム、該プログラムに使用する初期値等が保存されている。ＥＥＰＲＯＭ２７は、デジタルカメラ１の電源がＯＦＦされても記録情報を保持する内蔵フラッシュメモリである。ＥＥＰＲＯＭ２７には、デジタルカメラ１のユーザー設定やカスタム設定等の情報を記録する。外部メモリ２８は、記録用画像データ等を保存するための着脱可能なメモリーカードである。大容量記憶媒体２９は、画像データ等が保存可能な、ハードディスクドライブである。なお、大容量記憶媒体２９としては、DVD等の光ディスクやフラッシュメモリ等の記憶媒体であっても良い。
＜大容量記憶媒体２９の記憶構造＞
大容量記憶媒体２９に記憶される画像データは、DCF (Design rule for Camera File system)規格にのっとった構成となり、大容量記憶媒体２９のルートディレクトリに設けられたDCIMフォルダ（DCFイメージルートディレクトリ）内に設けられたｙABCDフォルダ（DCFディレクトリ、ただしｙ＝１００〜９９９）内に記憶される。なお、DCFディレクトリはDCFイメージルートディレクトリに複数設けることができ、例えば、後述するパーソナルコンピューターから画像が転送されると、新たにｙCOPYフォルダが作成され、該yCOPYフォルダ内に転送画像が記憶される。
【００１５】
また、大容量記憶媒体のルートディレクトリにはアルバム情報を記憶するALBAMフォルダや、検索結果が記された検索管理ファイルを記憶するHISTフォルダ、転送情報を記憶するTRANSフォルダが設けられている。
＜入出力処理＞
入出力部３１は、入出力端子１２等を含み、該入出力端子１２と接続ケーブルで接続されたパーソナルコンピューター（以下PCと略す）等の外部機器と画像データ等のデータを通信する。
＜計時部＞
なお、デジタルカメラ１には、不図示の計時手段が設けられており、撮像され大容量記憶媒体２９に記憶される画像ファイルのヘッダ領域に、該撮像された時間を記録可能である。
＜画像表示処理＞
液晶制御部２３は、制御部２０の指令により送られた表示用画像データを背面液晶部２４へ表示させる。背面液晶部２４は背面液晶１１およびドライバを含む。
＜操作部＞
操作部３０は、電源釦２、レリーズ釦３、動作モード切換スイッチ４、ズームスイッチ５、ファンクション釦６、リングセンサ７、決定釦８、メニュー釦９削除釦１０等を含む。
＜カメラのメイン処理＞
以下デジタルカメラ１の動作について説明する。
【００１６】
本実施の形態におけるデジタルカメラ１は、ユーザーが設定した撮像処理条件により静止画像の撮像動作及び撮像画像の処理を行う静止画撮影モード、動画像の撮像動作及び撮像画像の処理を行う動画撮影モード、背面液晶部２４に表示されたメニュー画面を見ながら各種機能の設定を行うメニューモード、背面液晶部２４に撮影済みの記録用画像データ等を表示させる画像表示モードを持つ。またカメラの電源がONされた際に接続端子１２が接続ケーブルによりPC等と接続されている際には、転送処理が行なわれる。各動作モードの切り換えは動作モード切換スイッチ４により切換られる。メニューモードについては周知の処理であるため説明を省く。
＜デジタルカメラ１のメインフロー＞
デジタルカメラ１のメイン処理のフローを図３に示す。
【００１７】
デジタルカメラ１の電源がONされると、まずステップS１１で、撮像素子２１、画像処理部２２、液晶制御部２３、制御部２０等の電気処理回路の起動処理が行なわれる。
次にステップS１２では、接続端子１２に接続ケーブルを介してPCが接続されているか否かの判定が行われる。接続端子１２にPCが接続されている場合はステップS１３へ移り、
接続端子１２にPCが接続されていない場合はステップS１４へ移る。ステップS１３では転送処理サブルーチンにより、PCへのファイル送信処理又はPCからのファイルの受信処理が行なわれる。転送処理サブルーチンについては詳述する。
【００１８】
ステップS１４〜S１６では現在どの動作モードに設定されているかが判定される。
動作モードが静止画撮像モードである場合は、ステップS１４で肯定されステップS１７の静止画撮像処理サブルーチンへ移る。動作モードが動画撮影モードである場合は、ステップS１４で否定、ステップS１５で肯定されステップS１８の動画撮像処理サブルーチンへ移る。動作モードが画像表示モードである場合は、ステップS１４で否定、ステップS１５で否定、ステップS１６で肯定されステップS１９の画像表示処理サブルーチンへ移る。
動作モードがメニューモードである場合は、ステップS１４で否定、ステップS１５で否定、ステップS１６で否定されステップS２０のメニュー表示処理へ移る。  ステップS１７、S１８、S１９、S２０での処理が終了するとステップS２１へ移る。
【００１９】
ステップS２１では電源釦２が押圧操作されたか否かが判定される。電源釦２が押圧操作された場合は、電気処理回路等の終了処理を行ないデジタルカメラ１の電源をOFFし、電源釦２が押圧操作されていない場合はステップS１２へ戻る。
＜静止画撮影モード＞
静止画撮像モードでは、レリーズ釦３の半押操作により、被写体輝度値を検出し、該輝度値に基づき、シャッター速度や絞り地等の露出値の決定が行なわれる。また露出値の決定と共に、不図示の撮像レンズ系の被写体への焦点状態を調整するの合焦処理等の撮像準備処理も行われる。レリーズ釦３の半押操作に続いて、レリーズ釦３が全押操作されると、撮像素子２１は、制御部２０等の制御により、画像信号の読み出し等の制御や、電子シャッターの制御駆動等が行われる。撮像素子２１から読み出された画像信号は画像処理部２２に送られる。画像処理部２２に送られた画像信号は、ノイズ除去、Ａ／Ｄ変換、色補間処理、サイズ変更、符号化等の処理が必要に応じて行われ、背面液晶１１に表示する表示用画像データや、記録用画像データ等へ変換される。なお、本実施の形態におけるデジタルカメラ１では、記録用画像データがJPEGで圧縮される。該記録用画像データは大容量記憶媒体２９に、ファイル名「DSCNｘ.JPG」(ただし、ｘ=0〜9999)として記憶される。また、記録された記録用画像データのファイル名およびファイルパスは転送ファイルAに記録される。なお転送ファイルAは、後述する転送処理の際にパーソナルコンピューターへ転送する画像ファイルを記載したリストファイルである。表示用画像データは液晶制御部２３により背面液晶部２４に表示される。なお、記録用画像データを、ＥＥＰＲＯＭ２７や外部メモリ２８等に記憶するとしても良い。
＜静止画撮像処理のフロー＞
静止画撮像処理サブルーチンでの処理のフローを図４に示す。
【００２０】
静止画撮像処理に入ると、ステップS３０でレリーズ釦３が半押操作されたか否かの判定が行なわれる。レリーズ釦３が半押操作された場合はステップS３２へ移り、レリーズ釦３が半押操作されていない場合はステップS３１へ移る。ステップS３１では、動作モードが変更された又は電源釦２が押圧操作されたか否かの判定が行なわれる。動作モードが変更された又は電源釦２が押圧操作された場合は静止画撮像処理を終了し、動作モードが変更されていない且つ電源釦２が押圧操作されていない場合は、ステップS３０へ戻る。
【００２１】
ステップS３２では、露出値の決定および合焦処理が行なわれる。ステップS３３ではレリーズ釦３が全押操作されたか否かの判定が行なわれる。レリーズ釦３が全押操作された場合はステップS３４へ移り、レリーズ釦３が全押操作されていない場合はステップS３０へ戻る。
【００２２】
ステップS３４では、ステップS３２で設定した露出値を基に、被写体像の撮像処理および画像処理が行なわれる。ステップS３５では、ステップS３２で画像処理された記録用静止画像データを大容量記憶媒体２９に記憶する。なお、記録される静止画像データのヘッダ領域には、計時部より取得した日時が記憶される。ステップS３６では、動作モードが変更された又は電源釦２が押圧操作されたか否かの判定が行なわれる。動作モードが変更された又は電源釦２が押圧操作された場合は静止画撮像処理を終了し、動作モードが変更されていない且つ電源釦２が押圧操作されていない場合は、ステップS３０へ戻る。
【００２３】
＜動画撮影モード＞
動画撮像モードでは、レリーズ釦３の半押操作により、シャッター速度や絞り地等の露出値の決定および被写体への合焦処理等の撮像準備処理が行われる。レリーズ釦３の半押操作に続いて、レリーズ釦３が全押操作されると、撮像素子２１は、制御部２０等の制御により、定期的（３０フレーム/秒）に電子シャッターの制御駆動および画像信号の読み出し等が行われる。撮像素子２１から読み出された画像信号は画像処理部２２に送られる。画像処理部２２に送られた画像信号は、ノイズ除去、Ａ／Ｄ変換、色補間処理、サイズ変更、符号化等の処理が必要に応じて行われ、背面液晶１１に表示する表示用動画像データや、記録用動画像データ等へ変換される。なお、本実施の形態におけるデジタルカメラ１では、記録用動画像データがモーションJPEGで圧縮される。再度レリーズ釦３が全押操作されると動画撮像処理が終了し、該記録用動画像データは大容量記憶媒体２９に、ファイル名「DSCNｘ.MJPG」(ただし、ｘ=0〜9999)として記憶される。表示用動画像データは液晶制御部２３により背面液晶部２４に動画像として表示される。なお、記録用動画像データを、ＥＥＰＲＯＭ２７や外部メモリ２８等に記憶するとしても良い。
＜動画撮像処理のフロー＞
動画撮像処理サブルーチンでの処理のフローを図５に示す。
【００２４】
静止画撮像処理に入ると、ステップS４０でレリーズ釦３が半押操作されたか否かの判定が行なわれる。レリーズ釦３が半押操作された場合はステップS４２へ移り、レリーズ釦３が半押操作されていない場合はステップS４１へ移る。ステップS４１では、動作モードが変更された又は電源釦２が押圧操作されたか否かの判定が行なわれる。動作モードが変更された又は電源釦２が押圧操作された場合は静止画撮像処理を終了し、動作モードが変更されていない且つ電源釦２が押圧操作されていない場合は、ステップS４０へ戻る。
【００２５】
ステップS４２では、露出値の決定および合焦処理が行なわれる。ステップS４３ではレリーズ釦３が全押操作されたか否かの判定が行なわれる。レリーズ釦３が全押操作された場合はステップS４４へ移り、レリーズ釦３が全押操作されていない場合はステップS４０へ戻る。
【００２６】
ステップS４４では、ステップS４２で設定した露出値を基に、被写体像の撮像処理および画像処理が所定間隔（３０フレーム/秒）で行なわれる動画撮像処理が開始される。作成された記録用動画像ファイルは、動画像ファイルとして随時RAM３５および大容量記憶媒体２９に記憶される。なお、記録される動画像データのヘッダ領域には、計時部より取得した日時が記憶される。ステップS４５では、レリーズ釦３が全押操作されたか否かが判定される。レリーズ釦３が押圧操作された場合は、上記ステップS４４で開始した動画像撮像処理を停止する。ステップS４７では、動作モードが変更された又は電源釦２が押圧操作されたか否かの判定が行なわれる。動作モードが変更された又は電源釦２が押圧操作された場合は静止画撮像処理を終了し、動作モードが変更されていない且つ電源釦２が押圧操作されていない場合は、ステップS４０へ戻る。
＜画像表示モード＞
画像表示モードは、大容量記憶媒体２９に記録された記録済み画像データを背面液晶１１に表示するモードである。本実施の形態におけるデジタルカメラ１の画像表示モードには、撮像済み画像を背面液晶１１に1コマ表示する１コマ表示モードと、撮像済み画像を背面液晶１１に４コマ表示する４コマ表示モードと、アルバムに登録された画像を表示するアルバムモード、撮像済み画像データを所定の条件の画像を検索し、検索画像を表示する検索モードが設けられている。
＜再生モードの切換処理＞
上述した画像再生モードのうち、１コマ表示モード、４コマ表示モードの切替えは、動作モードが画像表示モードの際にズーム釦５のワイド釦５a又はテレ釦５ｂが押圧操作されることにより切り換えられる。ワイド釦５aが押圧操作されるごとに１コマ表示モード〜４コマ表示モードの順に画像再生モードが切り換り、テレ釦を５ｂが押圧操作されるごとに４コマ表示モード〜１コマ表示モードの順に画像再生モードが切り換る。１コマ表示モード又は４コマ表示モードからアルバムモード又は検索モードへの切り換えは、ファンクション釦６を押圧操作することにより表示されるファンクションメニューより「アルバム表示」又は「検索」のメニュー項目を選択することにより切り換る。
＜画像表示処理のメインフロー＞
画像表示モードでの処理のメインフローを図１２に示す。
【００２７】
画像表示処理サブルーチンに入ると、ステップS１００〜S１０２で現在どの再生モードにあるか判定される。再生モードが１コマ表示モードである場合は、ステップｓ１００で肯定されステップS１０３の１コマ表示処理サブルーチンへ移る。再生モードが４コマ表示モードである場合は、ステップS１００で否定、ステップS１０１で肯定されステップS１０４の４コマ表示処理サブルーチンへ移る。再生モードがアルバム表示モードである場合は、ステップS１００で否定、ステップS１０１で否定、ステップS１０２で肯定されステップS１０５のアルバム表示処理サブルーチンへ移る。再生モードが検索モードである場合はステップS１００で否定、ステップS１０１で否定、ステップS１０２で否定されステップS１０６の検索処理サブルーチンへ移る。各ステップS１０３、S１０４、S１０５、S１０６での処理が終了するとステップS１０７へ移る。
【００２８】
ステップｓ１０７では、動作モードが変更された又は電源釦２が押圧操作されたか否かの判定が行なわれる。動作モードが変更された又は電源釦２が押圧操作された場合は静止画撮像処理を終了し、動作モードが変更されていない且つ電源釦２が押圧操作されていない場合は、ステップS１００へ戻る。
＜１コマ表示モード＞
１コマ表示モードでは、記録用静止画像データ、又は記録用動画像データ、後述したトリミング画像データ等の大容量記憶媒体２９に記憶されている画像データを背面液晶１１に１コマづつ表示するモードである。表示画像は、リングセンサ７を回転操作することで、順次切換可能である。なお、１コマ表示モードでは、ズームスイッチ５のTスイッチを押し圧操作することにより表示画像の拡大表示が行なわれる。拡大表示は、１コマ表示状態を基準（拡大率１）としT釦を押し圧操作するたびに拡大率が２倍〜３倍と拡大され、拡大状態時にW釦を押圧操作すると３倍〜２倍と拡大率が下がる。W釦を押圧操作し拡大率がゼロになると通常の１コマ再生に戻る。拡大表示中にレリーズ釦３を押圧操作すると、背面液晶１１に表示されている拡大領域のみがトリミングされたトリミング画像が表示されている画像データとは別に大容量記憶媒体２９に記憶される。記憶されるトリミング画像のファイル名は「RSCNｘ.JPG」（なお、ｘ＝０〜９９９９）である。
また、拡大率がゼロの際にWスイッチが押圧操作されると１コマ表示モードから４コマ表示モードに切り換る。
【００２９】
また、１コマ表示モードの際にファンクション釦６を押圧操作することにより、ファンクション処理に移り、背面液晶１１にファンクションメニューC（図１７(e)参照）が表示される。１コマ表示モードで実行可能なファンクションメニューは「アルバム表示」、「アルバム登録」、「検索」である。タッチセンサ７を回転操作することにより、メニューに表示されたユーザーは選択枠４０を任意のメニューに移動させ、決定釦８を押圧操作するとにより選択枠４０で囲まれたメニューを実行できる。「アルバム表示」を選択すると、再生モードがアルバム表示モードに切り換る。「アルバム登録」を選択すると、表示中の画像ファイルを任意のアルバムに登録することができる。アルバム登録処理については、後述のアルバム表示モード又はファンクション処理の説明で詳述する。「検索」を選択すると、再生モードが検索モードに切り換る。
＜４コマ表示モード＞
４コマ表示モードでは、記録用静止画像データ、又は記録用動画像データ、後述したトリミング画像データ等の大容量記憶媒体２９に記憶されている画像データを背面液晶１１に４コマづつ表示するモードである。４コマ表示されている画像のうち、１つの画像が画像を囲む選択枠により選択されており、リングセンサ７を回転操作することで、選択画像（選択枠）を順次切換可能である。なお、４コマ表示モードでは、ズームスイッチ５のTスイッチを押し圧操作することにより１コマ表示モードに切り換る。
【００３０】
また、４コマ表示モードの際にファンクション釦６を押圧操作することにより、ファンクション処理に移り、背面液晶１１にファンクションメニューC（図１７(e)参照）が表示される。４コマ表示モードで実行可能なファンクションメニューは「アルバム表示」、「アルバム登録」、「検索」である。タッチセンサ７を回転操作することにより、メニューに表示されたユーザーは選択枠４０を任意のメニューに移動させ、決定釦８を押圧操作するとにより選択枠４０で囲まれたメニューを実行できる。「アルバム表示」を選択すると、再生モードがアルバム表示モードに切り換る。「アルバム登録」を選択すると、選択中の画像ファイルを任意のアルバムに登録することができる。アルバム登録処理については、後述のファンクション処理の説明で詳述する。「検索」を選択すると、再生モードが検索モードに切り換る。
＜アルバム表示モード＞
アルバム表示モードでは、大容量記憶媒体２９内に記憶された画像データの内のユーザーにより登録された画像を表示するモードである。
【００３１】
アルバム表示モードで表示されるアルバム選択画面を図１７(a)に示す。図１７(a)においては「ALBUM００１」、「ALBUM００２」、「ALBUM００３」の３つのアルバムが存在し、表示されている。
【００３２】
アルバム情報を記したアルバムファイルは、大容量記憶媒体２９のルートディレクトリ内に設けられたALBUMフォルダ内にALBUｚ.NAF（z＝００１〜９９９）のファイル名で各アルバムごとに記憶されている。アルバムファイルは、テキストフォーマットであり、そのアルバムに登録されている画像のファイルパスおよびファイル名（例えば../DCIM/100ABCD/DSC0001.JPG）が記載されている。
【００３３】
ユーザーは、リングセンサ７を回転操作することにより、選択枠４０を任意のアルバムに移動させ、決定釦８を押圧操作することにより、選択枠４０に囲まれたアルバムを選択することができる。アルバムが選択されると、選択されたアルバムに記された画像のみが表示される選択表示処理に移行する。選択表示処理では、検索管理ファイルに記載された画像ファイルを４コマ同時に背面液晶１１に表示する選択画像４コマ表示モードと、検索管理ファイルに記載された画像ファイルを１コマづづ背面液晶１１に表示する選択画像１コマ表示モードとがある。なお、アルバム選択後に選択画像表示処理に移るとまず、選択画像１コマ表示モードで表示される。なお、ズームスイッチ５のTスイッチ又はWスイッチを押し圧操作することにより上述した再生モードと同様に選択画像１コマ表示モードと選択画像４コマ表示モードの切換表示が可能である。
【００３４】
また、アルバム表示モードで、所定のアルバムを選択し、該アルバムの画像を表示している際に、ファンクション釦６を押圧操作することにより、ファンクション処理に移り、背面液晶１１にファンクションメニューA（図１７(ｃ)参照）が表示される。アルバム表示モードで実行可能なファンクションメニューは「検索」、「転送」である。タッチセンサ７を回転操作することにより、メニューに表示されたユーザーは選択枠４０を任意のメニューに移動させ、決定釦８を押圧操作するとにより選択枠４０で囲まれたメニューを実行できる。「検索」を選択すると、再生モードが検索モードに切り換る。「転送」を選択すると、選択中のアルバムに登録されている画像ファイルをPCに転送することができる。転送処理については後述する。
＜検索モード＞
検索モードは、大容量記憶媒体２９内のDCIMフォルダ内に記憶されている画像データを、所定の条件で検索し、該検索された画像データを背面液晶１１に表示するモードである。検索は、画像データのヘッダ領域に記録されている日時や、JPG、MJPG等のファイルフォーマットの種類や、トリミング画像等の画像処理が施され画像等のファイルの種類等を検索条件として実行される。なお、デジタルカメラ１で再生できないファイルについては検索対象としない。
【００３５】
検索モードが実行されると、まず、検索画面に検索メニューが表示される（図１９(a)参照）。図示のごとく、検索メニューには、「最終撮像日」検索処理、「最近１週間」検索処理、「最近１ヶ月」検索処理、「詳細検索」検索処理、「履歴」検索処理が設けられている。ユーザーは、タッチセンサ７を回転操作することにより選択枠４０を任意のメニュー項目に移動させ、決定釦８を押圧操作することにより、選択枠４０に囲まれたメニューの検索処理を実行可能である。
【００３６】
「最終撮影日」検索処理が選択されると、大容量記憶媒体２９のDCIMフォルダ内に記憶されている画像ファイルのヘッダ情報に記された日時の内、最も新しい日付け情報が記された画像ファイルを選出する。具体的には、画像ファイルを撮像するたびに、時刻部より取得した日時データをEEPROM２７に記憶しておき、該EEPROM２７に記憶された日付けが記された画像ファイルのみ選出する。
【００３７】
「最近１週間」検索処理が選択されると、時刻部より日付け読み出し、大容量記憶媒体２９のDCIMフォルダ内に記憶されている画像ファイルの内で、該日付けから７日前までの日付けが記された画像ファイル、つまり、最近１週間に撮像された画像ファイルのみを選出する。「最近１ヶ月」が選択されると、時刻部より日付け読み出し、大容量記憶媒体２９のDCIMフォルダ内に記憶されている画像ファイルの内で、該日付けから３０日前までの日付けが記された画像データ、つまり最近１ヶ月の間に撮像された画像ファイルのみを選出する。
【００３８】
「詳細検索」検索処理が選択されると、背面液晶１１の表示が詳細検索画面に切り換る（図１９(ｂ)参照）。詳細検索画面では、検索ファイルの種類および、検索開始年月日および検索終了年月日の順に選択を行ない、該選択されたファイル種類でかつ検索対象開始年月日と検索対象終了年月日との日付けの間の日付け情報をヘッダ領域にある画像ファイルを大容量記憶媒体２９のDCIMフォルダ内から選出する。
【００３９】
図１９(ｂ)に示したように、まず、選択枠４０がファイル種類を囲み表示さる。ユーザーはリングセンサ７を回転操作することにより、JPG→MJPG→トリミング画像→全て→JPG・・・と選択枠４０内に表示されているファイル種類表示を変更でき、決定釦８押圧操作されると選択枠４０内に表示されているファイルが検索対象ファイル種類として決定される。次に、選択枠４０により検索対象開始年が囲み表示される。ユーザーは、リングセンサ７を回転操作することにより、2005→2004→2003・・・と検索対象開始年を変更でき、決定釦８押圧操作されると選択枠４０内に表示されている検索対象開始年が決定される。同様にして検索対象開始月、検索対象開始日、検索対象終了年、検索対象終了月、ユーザーにより決定され、最後に検索対象終了日が決定されると、現在表示されている検索ファイルおよび検索対象期間を検索条件として、大容量記憶媒体２９のDCIMフォルダ内より画像ファイルが選出される。
【００４０】
上記検索により選出された画像ファイルは、それぞれのファイル名およびファイルパスをまとめた検索管理ファイルとして大容量記憶媒体２９のルートディレクトリ内に設けられたHISTフォルダ内にHISTｚ.NHF（z＝００１〜９９９）のファイル名で一検索ごとに記憶される。検索管理ファイルは、テキストフォーマットであり、選出された画像のファイルパスおよびファイル名（例えば../DCIM/100ABCD/DSC0001.JPG）が、選出された画像分記載されている。なお、検索管理ファイルに上記検索条件も記載しても良い。
【００４１】
検索管理ファイルが作成されると、該検索管理ファイルに記載されている画像ファイルのみが表示される選択表示処理に移行し、検索管理ファイルに記載された画像ファイルが背面液晶１１に表示される。なお、検索終了後に選択画像表示処理に移るとまず、選択画像４コマ表示モードで表示される。
「履歴」検索処理が選択されると、大容量記憶媒体２９のルートディレクトリにあるHISTフォルダ内に保存されている検索管理ファイルを検索し、検索管理ファイルのリストを背面液晶１１に表示する。ユーザーは、背面液晶１１表示された検索管理ファイルから所望の検索管理ファイルを選択する。検索管理ファイルが選択されると該選択された検索管理ファイルに記載された画像ファイルをのみを表示する選択表示処理に移行し、上記と同様にして検索管理ファイルに記載された画像ファイルが背面液晶１１に表示される。ユーザーは「履歴」検索処理を選択することにより、以前に検索した画像ファイルを検索条件（検索対象期間、検索対象ファイル種類等）を入力せずに表示可能となり、すばやく任意の画像を確認可能となる。なお、検索管理ファイルに検索条件（検索対象期間、検索対象ファイル種類等）が記録されている際は、「履歴」検索処理において選択された検索管理ファイルに記載された検索条件により大容量記憶媒体２９のDCIMフォルダ内の画像ファイルを再検索し該検索ファイルに記載されている、画像ファイルを更新しても良い。これにより、大容量記憶媒体２９のDCIMフォルダ内の画像ファイルを、ユーザーが任意に設定した検索条件によりすばやく検索可能となり、スムーズに任意の画像を確認可能となる。
【００４２】
また、検索モードで、検索結果画像を表示している際に、ファンクション釦６を押圧操作することにより、ファンクション処理に移り、背面液晶１１にファンクションメニューB（図１７(ｄ)参照）が表示される。アルバム表示モードで実行可能なファンクションメニューは「アルバム表示」、「アルバム登録」、「転送」である。タッチセンサ７を回転操作することにより、メニューに表示されたユーザーは選択枠４０を任意のメニューに移動させ、決定釦８を押圧操作するとにより選択枠４０で囲まれたメニューを実行できる。「アルバム表示」を選択すると、再生モードがアルバム表示モードに切り換る。「アルバム登録」を選択すると、選択中の画像ファイルを任意のアルバムに登録することができる。アルバム登録処理については、後述のファンクション処理の説明で詳述する。「転送」を選択すると、検索により選出された画像ファイルをPCに転送することができる。転送処理については後述する。
【００４３】
上述したように本実施の形態におけるデジタルカメラ１は、最終撮影日、最近１週間、最近１ヶ月を選択することにより、ユーザーは検索条件が入力する必要がなく、検索がスムーズに行なえる。また、ファイルフォーマットや、トリミング画像等ファイルの種類により検索することができるため、所望のファイルをファイルを素早く検索閲覧できる。  
【００４４】
また、検索領域として大容量記憶媒体２９の記憶領域のうち、画像を管理するDCIMフォルダ以外の領域にデジタルカメラ１で用いられないファイルおよびフォルダがある場合であっても、DCIMフォルダ内の画像ファイルのみ検索対象としているため、効率良く検索することがでる。
＜画像表示処理のメインフロー＞
画像表示モードのメイン処理についてフローを図１２を用いて説明する。
【００４５】
画像表示処理サブルーチンに入ると、ステップS１００〜S１０２で、現在の再生モードがどのモードであるかが判定される。再生モードが１コマ表示モードである場合は、ステップS１００で肯定され１コマ表示処理サブルーチンへ移る。再生モードが４コマ表示モードである場合はステップS１００で否定、ステップS１０１で肯定されステップS１０４の４コマ表示処理サブルーチンへ移る。再生モードがアルバム表示モードである場合はステップS１００で否定、ステップS１０１で否定、ステップS１０２で肯定されステップS１０５のアルバム表示処理サブルーチンへ移る。再生モードが検索モードである場合はステップS１００で否定、ステップS１０１で否定、ステップS１０２で否定されステップS１０６の検索処理サブルーチンへ移る。
【００４６】
ステップS１０３、S１０４、S１０５、S１０６の各サブルーチンが終了するとステップS１０７へ移る。ステップS１０７では、動作モードが変更された又は電源釦２が押圧操作されたか否かの判定が行なわれる。動作モードが変更された又は電源釦２が押圧操作された場合は画像表示処理サブルーチンを終了し、動作モードが変更されていない且つ電源釦２が押圧操作されていない場合は、ステップS１００へ戻る。
＜１コマ表示モードのフロー＞
１コマ表示モードにおける処理のフローを図１３に示す。
【００４７】
１コマ表示処理サブルーチンにはいると、まず、ステップS１１０で大容量記憶媒体２９に最後に記憶された画像ファイルを背面液晶１１に１コマ表示する。ステップS１１１ではTスイッチが押圧操作されたか否かの判定が行なわれる。Tスイッチが押圧操作された場合はステップS１１２の拡大表示処理サブルーチンへ移り、Tスイッチが押圧操作されていない場合はステップS１１３へ移る。
＜拡大表示処理＞
拡大表示処理のフローを図１６に示す。拡大表示処理サブルーチンに移ると、まず、ステップS１４０でステップ１コマ表示処理の際に表示されていた画像を拡大率２倍として背面液晶１１に表示する。ステップS１４１ではTスイッチ（T釦）が押圧操作されたか否かの判定が行なわれる。Tスイッチが押圧操作された場合はステップS１４２へ移り、Tスイッチが押圧操作されていない場合はステップS１４３へ移る。ステップS１４２では拡大率を２倍した拡大率で画像を背面液晶１１へ表示する。
【００４８】
ステップS１４３ではWスイッチが押圧操作されたか否かが判定される。Wスイッチが押圧操作された場合はステップS１４４へ移り、Wスイッチが押圧操作されていない場合はステップS１４６へ移る。ステップS１４４では、拡大率に１/２かけた拡大率で画像を背面液晶１１へ表示する。次にステップS１４５で現在の拡大率が１か否かが判定される。拡大率が１の場合は拡大表示処理サブルーチンを終了し、拡大率が１でない場合はステップS１４６へ移る。ステップS１４６では、レリーズ釦３が押圧操作されたか否かの判定が行なわれる。レリーズ釦３が全押操作された場合はステップS１４７へ移り、レリーズ釦３が全押操作されていない場合はステップS１４８へ移る。ステップS１４７では、現在、背面液晶１１に表示されている画像領域をトリミングしたトリミング画像を作成し、大容量記憶記憶媒体に記憶したのち、拡大表示処理サブルーチンを終了する。ステップS１４８では、上下左右釦７a〜７ｄが押圧操作されたか否かが判定される。上下左右釦７a〜７ｄが押圧操作された場合ステップS１４９へ移り、上下左右釦７a〜７ｄが押圧操作されていない場合はステップS１５０へ移る。ステップS１４９では、押圧操作された上下左右釦７a〜７ｄに応じて背面液晶１１へ表示している拡大画像の表示領域を変更する。
【００４９】
ステップS１５０では、動作モードが変更された又は電源釦２が押圧操作されたか否かの判定が行なわれる。動作モードが変更された又は電源釦２が押圧操作された場合は拡大表示処理サブルーチンを終了し１コマ表示処理サブルーチンのステップS１１３へ移り、動作モードが変更されていない且つ電源釦２が押圧操作されていない場合は、ステップS１４１へ戻る。
【００５０】
１コマ表示処理サブルーチンの説明に戻る。
ステップS１１３では、ファンクション釦６が押圧操作されたか否かが判定される。ファンクション釦６が押圧操作された場合はステップS１１４のファンクション処理サブルーチンへ移り、ファンクション釦６が押圧操作されていない場合はステップS１１５へ移る。
【００５１】
ステップS１１４でのファンクション処理サブルーチンでの処理については後述する。ステップS１１５ではリングセンサ７が回転操作されたか否かの判定が行なわれる。リングセンサ７が回転操作された場合はステップS１１６へ移り、リングセンサ７が回転操作されていない場合はステップS１１７へ移る。ステップS１１６では、リングセンサ７の回転操作に応じて、背面液晶１１に表示する画像ファイルを変更する。ステップS１１７では、動作又は表示モードが変更された又は電源釦２が押圧操作されたか否かの判定が行なわれる。動作又は表示モードが変更された又は電源釦２が押圧操作された場合は１コマ表示処理サブルーチンを終了し、動作又は表示モードが変更されていない且つ電源釦２が押圧操作されていない場合は、ステップS１１１へ戻る。
＜４コマ表示モードのフロー＞
４コマ表示モードにおける処理のフローを図１４に示す。
【００５２】
４コマ表示処理サブルーチンにはいると、まず、ステップS１２１で大容量記憶媒体２９に記憶された画像ファイルを背面液晶１１に４コマ同時に表示する。
ステップS１２２では、ファンクション釦６が押圧操作されたか否かが判定される。ファンクション釦６が押圧操作された場合はステップS１２３のファンクション処理サブルーチンへ移り、ファンクション釦６が押圧操作されていない場合はステップS１２４へ移る。
【００５３】
ステップS１２３でのファンクション処理サブルーチンでの処理については後述する。ステップS１２４ではリングセンサ７が回転操作されたか否かの判定が行なわれる。リングセンサ７が回転操作された場合はステップS１２５へ移り、リングセンサ７が回転操作されていない場合はステップS１２６へ移る。ステップS１２５では、リングセンサ７の回転操作に応じて、背面液晶１１に表示された画像のうちの選択画像ファイルを変更する。ステップS１２６では、動作又は表示モードが変更された又は電源釦２が押圧操作されたか否かの判定が行なわれる。動作又は表示モードが変更された又は電源釦２が押圧操作された場合は４コマ表示処理サブルーチンを終了し、動作又は表示モードが変更されていない且つ電源釦２が押圧操作されていない場合は、ステップS１２２へ戻る。
＜アルバム表示モードのフロー＞
アルバム表示モードにおける処理のフローを図１５に示す。
アルバム表示サブルーチンに入ると、ステップS１３０で、大容量記憶媒体２９のルート領域にあるALBUMフォルダ内にあるアルバムファイルを検索し、該検索されたアルバムファイルのアルバム名を表示するアルバム選択画面（図１７(a)参照）を背面液晶１１に表示する。ユーザーは、リングセンサ７を回転操作することにより、選択枠４０を任意のアルバムに移動させ、決定釦８を押圧操作することにより、選択枠４０に囲まれたアルバムを選択することができる。  ステップS１３１では、アルバムが選択されたか否かが判定される。アルバムが選択された場合はステップS１３２へ移り、アルバムが選択されていない場合は待機する。ステップS１３２では、選択されたアルバムのアルバムファイルを表示リストしてRAM２５に記憶し、選択画像表示処理での選択画像表示モードを１コマ表示に設定した後にステップS１３３の選択画像表示処理サブルーチンに移り、アルバムファイルに登録されている画像ファイルが表示される。選択画像表示処理サブルーチンについては後述する。ステップS１３３の選択画像表示処理サブルーチンが終了するとアルバム表示処理サブルーチンが終了する。
＜選択画像表示処理サブルーチン＞
選択画像表示処理における処理のフローを図２０に示す。
【００５４】
選択画像表示処理では、RAM２５に記憶されている表示リストにある画像ファイルのみを表示する。ステップS１８０では、選択画像表示モードが４コマ表示モードか否かが判定される。
【００５５】
選択画像表示モードが４コマ表示である場合はステップS１８１へ移り、選択画像表示モードが４コマ表示でない、つまり１コマ表示モードである場合はステップS１８８へ移る。
ステップS１８１では、RAM２５より表示リストを読み込み、表示可能な画像を該表示リストに記載された画像のみに設定する。ステップS１８２では、大容量記憶媒体２９に記憶された画像ファイルの内の、表示リストに記載された画像を背面液晶１１に４コマ表示する。ステップS１８３では、ファンクション釦６が押圧操作されたか否かが判定される。ファンクション釦６が押圧操作された場合はステップS１８４のファンクション処理サブルーチンへ移り、ファンクション釦６が押圧操作されていない場合はステップS１８５へ移る。
【００５６】
ステップS１８４でのファンクション処理サブルーチンでの処理については後述する。ステップS１８５ではリングセンサ７が回転操作されたか否かの判定が行なわれる。リングセンサ７が回転操作された場合はステップS１８６へ移り、リングセンサ７が回転操作されていない場合はステップS１８７へ移る。ステップS１８６では、リングセンサ７の回転操作に応じて、背面液晶１１に表示された画像のうちの選択画像ファイルを変更する。ステップS１８７では、動作又は選択画像表示モードが変更された又は電源釦２が押圧操作されたか否かの判定が行なわれる。動作又は選択画像表示モードが変更された又は電源釦２が押圧操作された場合はステップS１９７へ移り、動作又は選択画像表示モードが変更されていない且つ電源釦２が押圧操作されていない場合は、ステップS１８３へ戻る。なお選択画像表示モードが終了する際にはRAM２５に記憶された表示リストは削除される。
＜検索モードのフロー＞
検索モードにおける処理のフローを図１８に示す。
【００５７】
検索モードに入るとまず検索メニュー項目を表示する検索画面（図１９(a)参照）を背面液晶１１に表示する。ユーザーは、タッチセンサ７を回転操作することにより選択枠４０を任意のメニューに移動させ、決定釦８を押圧操作することにより、選択枠４０に囲まれたメニュー項目が選択される。次にステップS１６１〜ステップS１６５で、どの検索メニュー項目が選択されたかが判定される。「詳細検索」が選択された場合は、ステップS１６１で肯定されステップS１６６へ移る。「最終撮影日」が選択された場合は、ステップS１６１で否定され、ステップS１６２で肯定されステップS１６８へ移る。「最近１週間」が選択された場合は、ステップS１６１で否定、ステップS１６２で否定、ステップS１６３で肯定されステップS１６９へ移る。「最近１ヶ月」が選択された場合はステップS１６１で否定、ステップS１６２で否定、ステップS１６３で否定、ステップS１６４で肯定されステップS１７０へ移る。「履歴」が選択された場合はステップS１６１で否定、ステップS１６２で否定、ステップS１６３で否定、ステップS１６４で否定、ステップS１６５で肯定されステップS１７４へ移る。なお、検索メニュー項目が選択されるまでステップS１６１〜ステップS１６５の判定を繰り返す。
【００５８】
ステップS１６６では、背面液晶１１に詳細検索画面（図１９(ｂ)参照）を表示させ、検索するファイルの種類をユーザーに選択させる。ユーザーは「JPG」、「MJPG」、「トリミング画像」、「全て」から検索対象とするファイルを設定する。ステップS１６７では検索対象期間を選択させる。ユーザーは検索対象開始日時および検索対象終了日時を設定する。
【００５９】
ステップS１６８では、EEEROM２７より最終撮影日を読み込み検索対象をもっとも検索対象を該最終撮影日の画像に設定する。ステップS１６９では、計時部より日付を読み出し、該日時から７日前までの日付を検索対象期間に設定する。ステップS１７０では、計時部より日付を読み出し、該日時から３０日前までの日付を検索対象期間に設定する。ステップS１６７、S１６８、S１６９、での処理が終わるとステップS１７１へ移る。
【００６０】
ステップS１７１では、ステップS１６６、S１６７、S１６８、S１６９で設定された検索対象ファイル、検索対象期間より検索条件を作成する。ステップS１７２では、検索条件を基に大容量記憶媒体２９のDCIMフォルダ内の画像ファイルを検索し、検索条件に合致する画像ファイルのファイル名およびファイルパスを記載した検索管理ファイルを作成する。ステップS１７３では、作成された検索管理ファイルを大容量記憶媒体２９のDCIMフォルダ内に記憶すると共に、該検索管理ファイルを基に表示リストを作成しRAM２５に記憶する。ステップS１７３が終了するとステップS１７７の選択画像表示処理サブルーチンへ移る。
【００６１】
ステップS１７４では、大容量記憶媒体２９のHISTフォルダに検索管理ファイルが保存されているか否かが判定される。検索管理ファイルが保存されていない場合はステップS１６１へ戻り、検索管理ファイルが保存されている場合はステップS１７５へ移る。ステップS１７５では大容量記憶媒体２９のHISTフォルダに検索管理ファイルを示す検索管理リストファイルを背面液晶１１に表示する。ステップS１７６では、ユーザーにより検索管理ファイルが選択されると該選択された検索管理ファイルより表示リストが作成されRAM２５に記憶された後にステップS１７７の選択画像表示処理サブルーチンへ移る。
【００６２】
ステップS１７７での選択画像表示処理処理サブルーチンでは、検索管理ファイルに記載された画像ファイルが背面液晶１１に表示される。ステップS１７７の選択画像表示サブルーチンが終了すると検索処理サブルーチンを終了する。
＜ファンクション処理＞
上述した画像表示モードの際にファンクション釦６が押圧操作されることにより呼び出されるファンクション処理について説明する。
【００６３】
ファンクション処理では、アルバム表示モード切換処理、検索モード切換処理、転送準備処理、アルバム登録処理が行われる。
再生モードがアルバム表示モードの際にファンクション釦６が押圧操作されると、ファンクションメニューA（図１７(ｃ)参照）が背面液晶１１に表示される。この場合、実行可能な処理は「検索」処理と「検索」処理でありファンクションメニューAにはこれらの項目のみ表示される。
【００６４】
再生モードが検索モードの際にファンクション釦６が押圧操作されると、ファンクションメニューB（図１７(ｄ)参照）が背面液晶１１に表示される。この場合、実行可能な処理は「アルバム表示」処理と「アルバム登録」処理、「転送」処理でありファンクションメニューBにはこれらの項目のみ表示される。
【００６５】
再生モードが１コマ表示モードまたは４コマ表示モードの際にファンクション釦６が押圧操作されると、ファンクションメニューC（図１７(e)参照）が背面液晶１１に表示される。この場合、実行可能な処理は「アルバム表示」処理と「アルバム登録」処理、「検索」処理でありファンクションメニューCにはこれらの項目のみ表示される。
【００６６】
上述したファンクションメニューで「アルバム表示」を選択するとアルバム表示モード切換処理が行われ、再生モードがアルバム表示モードに切換えられる。上述したファンクションメニューで「検索」を選択すると検索モード切換処理が行われ、再生モードが検索モードに切換えられる。
【００６７】
上述したファンクションメニューで「転送」を選択すると転送処理が行われる。転送処理では、アルバムモードの場合は表示中のアルバムのアルバムファイルまたは検索モードの場合は表示中の画像ファイルが登録されている検索管理ファイルに記載されている画像ファイルが一括してPCに送信するための送信リストが作成される。送信リストは、アルバムファイルや検索管理ファイルと同様に送信する画像ファイルのファイル名およびファイルパスが記載されている。送信リストが作成されると、該送信リストに記載されている画像ファイルは、デジタルカメラ１とPCとが接続された際にPCへ送信される。なお、検索モードの際は、検索管理ファイルに記載されている画像ファイルを基にアルバムファイルが作成され、大容量記憶媒体２９のALBUMフォルダに記憶される。
【００６８】
上述したファンクションメニューで「アルバム登録」を選択するとアルバム登録処理が行われる。アルバム登録処理では、１コマ表示モードで表示中の画像ファイルまたは４コマ表示モードで選択中の画像ファイルまたは検索モードで検索された画像ファイル全てを所望のアルバムに登録するアルバム登録処理が行われる。
＜ファンクション処理のフロー＞
ファンクション処理のフローを図２１に示す。
【００６９】
ファンクション処理サブルーチンに入ると、ステップS２００で再生モードがアルバムモードか否かが判定される。再生モードがアルバムモードの場合はステップS２０１へ移り背面液晶１１にファンクションメニューAを表示し、再生モードがアルバムモードでない場合はステップS２０２へ移る。ステップS２０２では、再生モードが検索モードであるか否かが判定される。再生モードが検索モードである場合はステップS２０３に移り背面液晶１１にファンクションメニューBを表示し、再生モードがアルバムモードでない場合はステップS２０４へ移り背面液晶１１にファンクションメニューCを表示する。
【００７０】
次にステップS２０５では、「アルバム表示」処理が選択されたか否かが判定される。「アルバム表示」処理が選択された場合は、ステップS２０６へ移り再生モードをアルバム表示モードに切り替えファンクション処理サブルーチンを終了し、「アルバム表示」処理が選択されていない場合はステップS２０７へ移る。ステップS２０７では、「検索」処理が選択されたか否かが判定される。「検索」処理が選択された場合は、ステップS２０８へ移り再生モードを検索モードに切り替えファンクション処理サブルーチンを終了し、「検索」処理が選択されていない場合はステップS２０９へ移る。
【００７１】
ステップS２０９では、「転送」処理が選択されたか否かが判定される。「転送」処理が選択された場合はステップS２１０へ移り、「転送」処理が選択されていない場合はステップS２１６へ移る。ステップS２１６では、「アルバム登録」処理が選択されたか否かが判定される。「アルバム登録」処理が選択された場合はステップS２１７へ移り、「アルバム登録」処理が選択されていない場合はステップS２２４へ移る。ステップS２２４では、ファンクション釦６が押圧操作されたか否かが判定される。ファンクション釦６が押圧操作された場合はファンクション処理サブルーチンを終了し、ファンクション釦６が押圧操作されていない場合はステップS２０５へ戻る。
【００７２】
ステップS２１０では再生モードが検索モードか否かが判定される。再生モードが検索モードである場合はステップS２１１へ移り、再生モードが検索モードでない場合はステップS２１２へ移る。ステップS２１１では、表示中の画像ファイルが登録されている検索管理ファイルよりアルバムファイルを作成し、該アルバムファイルを大容量記憶媒体２９のALBUMフォルダに記憶する。ステップS２１２では、アルバムモードの場合は表示中のアルバムのアルバムファイルまたは検索モードの場合は表示中の画像ファイルが登録されている検索管理ファイルより送信リストを作成し、EEPROM２７に記憶する。ステップS２１３では、「ファイルを今すぐ転送するか」かの表示を行い、今すぐ転送する決定がされたか否かが判定される。ファイルを今すぐ転送する決定がされた場合はステップS２１４へ移り、ファイルを今すぐ転送する決定がされなかった場合にはファンクション処理サブルーチンを終了する。ステップS２１４では背面液晶１１に、USBでPCと接続するよう表示し、ステップS２１５の転送処理サブルーチンへ移る。転送処理サブルーチンでは、EEPROM２７に記憶された転送リストに基づきPCに画像ファイルを転送する。転送処理サブルーチンは後述する。ステップS２１５の転送処理サブルーチンが終了するとファンクション処理サブルーチンが終了する。
【００７３】
ステップS２１７では、大容量記憶媒体２９のALBUMフォルダに記憶されているアルバムファイルを検索し、検索されたアルバムファイル名および「アルバム新作成」が成示されたアルバム登録画面（図１７(ｂ)参照）が背面液晶４０に表示される表示される。ステップS２１８では、アルバム登録画面にて選択操作がされたか否かが判定される。選択操作がされた場合はステップS２１９へ移り、選択操作がされていない場合はステップS２１７へ戻る。ステップS２１９では、選択操作により「アルバム新規作成」が選択されたか否かの判定が行われる。「アルバム新規作成」が選択された場合はステップS２２０へ移り、「アルバム新規作成」が選択されていない場合はステップS２２１へ移る。ステップｓ２２０ではアルバムファイルを新規に作成し、大容量記憶媒体２９のALBUMフォルダに記憶し、該作成されたアルバムファイルを選択する。ステップS２２１では、RAM２５に表示リストがあるか否かが判定される。RAM２５に表示リストがある場合はステップS２２３へ移り、RAM２５に表示リストがない場合はステップS２２２へ移る。ステップS２２２では、１コマ表示モードの場合は表示されていた画像ファイルを、４コマ表示モードの場合は選択されていた画像ファイルの画像ファイル名およびファイルパスを選択されたアルバムファイル追加で書込みステップS２２４へ移る。ステップS２２３では、RAM23に記憶されている表示リストに記載されている画像ファイルのファイル名およびファイルパス全てを、選択されたアルバムファイルに追加で書込む。
＜転送処理＞
本発明におけるデジタルカメラ１は、入出力端子１２とパーソナルコンピューター（以後PCとする）５０とを接続ケーブル１００で接続することによりPC５０とデータ通信が可能である。デジタルカメラ１とＰＣ５０とを接続ケーブル１００で接続した際の外観図を図２２に示す。 本実施の形態におけるPC５０は周知のノート型パーソナルコンピューターである。ＰＣ５０は本体部５１およびモニタ本体部５２とから構成される。モニタ本体部５２には表示部５２aが、本体部５１にはキーボード５３、入出力端子５４が配置されている。また本体部５１には周知のポインティングデバイスであるマウス５３aが接続されている。PC５０のブロック図を図２３に示す。PC５０の制御部６０はCPU等を含み、表示制御部６１、RAM６２、ROM６３、記憶媒体６４、操作部６５、入出力部６６と接続され、これらを制御する。表示制御部６１は、画像処理回路やビデオメモリ等を含み、表示部５２aに表示用の画像データを出力している。表示制御部６１より出力された画像データは表示部５２aに表示される。RAM６２は制御部６０等の処理の際に一時的にデータを記憶するための揮発性メモリである。ROM６３は、PC５０の初期設定等が記憶される不揮発性メモリである。記憶媒体６４は、HDD等の大容量の記憶媒体である。記憶媒体６４は、PC５０の各部材を制御するためのオペレーションシステムや該オペレーションシステム上で動作するアプリケーション等のプログラム、使用ユーザーのデータ等が記憶されている。操作部６５は、キーボード５３やマウス５３a等の操作入力装置を含み、ユーザーからの操作を制御部６０に伝達する。入出力部６６は、入出力端子５４および、入出力端子５４に接続された外部機器とデータ通信を制御する通信制御部等を含む。本実施の形態においては、デジタルカメラ１の入出力端子１２とPC５０の入出力端子５４とが通信ケーブル１００により接続されることによりデジタルカメラ１とPC５０とが通信可能となる。
【００７４】
本実施の形態におけるPC５０の記憶媒体６４には、デジタルカメラ１と通信可能に接続された際に、デジタルカメラ１と画像ファイルを送受信するための画像管理ソフトウエアが記憶されている。画像管理ソフトウエアは、PC５０の記憶媒体６４に記憶されている画像ファイルを表示部５２aに表示できる。また画像管理ソフトウエアは、上述のデジタルカメラ１と同様に、記憶媒体６４に記憶されている画像ファイルのファイル名およびファイルパスが記載されてアルバムファイルを作成可能であり、該アルバムファイルに記載された画像ファイルのみを表示部５２aに表示するアルバム表示モードを実行可能である。
＜デジタルカメラ１からPC５０への画像ファイル送信処理＞
デジタルカメラ１からPC５０への画像ファイル送信処理について説明する。大容量記憶媒体２９のディレクトリツリーを図２４aに、記憶媒体６４のディレクトリツリーを図２４ｂに示す。
【００７５】
上述したように、本実施の形態におけるデジタルカメラ１は、アルバム表示モードや、検索モードの際に、ファンクションメニューで「転送」処理を選択することにより、表示中のアルバムファイル又は表示中の画像ファイルが登録されている検索管理ファイルを転送リストとし、該アルバムファイル又は検索管理ファイルに記載されている画像ファイルを一括してPC５０に転送することができる。
【００７６】
PC５０の画像管理ソフトウエアでは、デジタルカメラ１より受信した画像ファイルのファイル名およびファイルパス等のファイル情報を記載したファイルリストを作成し、該受信リストを基にアルバムファイル（例えば図２５ｂ、PCALBUM001．NHF）を作成する。なお、デジタルカメラ１より画像を受信する際に画像ファイルと共に転送リストやアルバムファイル、検索管理ファイル等を受信し、これを元にPC用のアルバムファイルを作成しても良い。
＜PC５０からデジタルカメラ１への画像ファイル送信処理＞
PC５０からデジタルカメラ１への画像ファイル送信処理について説明する。
【００７７】
PC５０からデジタルカメラ１に画像ファイルを送信するには、まず、デジタルカメラ１の入出力端子１２とＰＣ５０の入出力端子とを接続ケーブル１００で接続し、デジタルカメラ１の電源をＯＮする。次に画像管理ソフトウエアを起動し、PCリンクウインドウ３０を開く。PCの表示部５２aにPCリンクウインド３０が表示された様子を図２２に、PCリンクウインド３０を図１１に示す。PC５０は、接続されているデジタルカメラ１に、以前にコピーしたコピーフォルダがないか記憶媒体６４内を検索する。以前にコピーした画像を有するコピーフォルダがある場合は該コピーフォルダをPCリンクウインド３０に表示する。なお、本実施の形態においては、記憶媒体６４内のPICTフォルダ８１に記憶されている１０２COPYフォルダ３１は以前にデジタルカメラ１へコピーしたコピーフォルダであるため、PCリンクウインド３０に１０２COPYフォルダ３１が表示される。
【００７８】
PC５０よりデジタルカメラ１へ画像ファイルを転送する際には、画像管理ソフトウエアを操作部により操作し、画像ファイルを転送するための新規転送用のNEWフォルダ３２を記憶媒体６４内のPICTフォルダ８１内に作成する。作成されたNEWフォルダ３２はPCリンクフォルダ３０内に表示される。次に記憶媒体６４内に記憶されている画像データのうちで、デジタルカメラ１に転送したい画像ファイルをNEWフォルダ３２内にコピーする。なお、なおデジタルカメラ１に転送したい画像ファイルをNEWフォルダ３２に移動しても良い。NEWフォルダ３２にコピーされる画像ファイルは、画像管理ソフトウェアによってデジタルカメラ１で表示可能なファイルか否かがチェックされ、表示できない画像ファイルである場合は、画像管理ソフトウェアは該画像ファイルをデジタルカメラ１で表示可能なファイル形式に変換したのちNEWフォルダ３２へコピーする。次に、PC５０の画像管理ソフトウエアを操作し、転送処理を開始させる。転送処理が開始されると、デジタルカメラ１の大容量記憶媒体２９のDCIMフォルダ７０内に新規フォルダ（103COPY７２ｂ）が作成され（図２５a参照）、該作成された新規フォルダ（103COPY７２ｂ）に、PCリンクフォルダ３０のNEWフォルダ３２内の画像ファイルが転送される。なお、画像ファイルがNEWフォルダ３２にコピーされる際に、画像管理ソフトウェアによってデジタルカメラ１で表示可能なファイルか否かをチェックしたが、該チェックを転送処理の際に行っても良い。この場合転送処理が行われるとデジタルカメラ１に転送する際に、画像管理ソフトウェアにより、転送するファイルがデジタルカメラ１で表示可能なファイルか否かがチェックされ、表示できない画像ファイルである場合は、画像管理ソフトウェアは該画像ファイルをデジタルカメラ１で表示可能なファイル形式に変換したのち転送する。
【００７９】
転送が終了すると、画像管理ソフトウェアは、NEWフォルダ３２のフォルダ名をデジタルカメラ１のDCIMフォルダ７０内に設けた新規フォルダ名（103COPY）と同じ名前に変更しコピーフォルダ３２としてPCリンクウインド３０に登録する（図２５ｂ参照）。さらに、画像管理ソフトウェアは、デジタルカメラ１に転送した記憶媒体６４の１０３COPYフォルダ３２に記憶されている画像ファイルのファイル名およびファイルパス等のファイル情報を記載したアルバムファイル（PCALBUM002.NHF８５）を作成し、記憶媒体６４内のALBUMフォルダ８３に記憶する（図２５ｂ参照）。
【００８０】
また、上記のごとくPCから画像ファイルを受信終了後に、デジタルカメラ１は、PC５０より受信し大容量記憶媒体２９に記録した画像ファイルのファイル名およびファイルパス等のファイル情報を記載したアルバムファイル（ALBUM002.NHF７５）を作成し、大容量記憶媒体２９内のALBUMフォルダ７４に記憶する（図２５a参照）。なお、画像ファイルを転送後に画像管理ソフトウェアによって、大容量記憶媒体２９に記録した画像ファイルのファイル名およびファイルパス等のファイル情報を記載したデジタルカメラ１用のアルバムファイル（ALBUM002.NHF７５）を作成し、大容量記憶媒体２９内のALBUMフォルダ７４に記憶してもよい。
【００８１】
また、PC５０からデジタルカメラ１に画像データを転送後に記憶媒体６４のPICTフォルダ８１内に新規転送用に作成されたNEWフォルダ３２を削除しても良い。この場合は、デジタルカメラ１へ画像ファイルを転送した後に、記憶媒体６４のNEWフォルダ（１０３COPYフォルダ）３２に記憶されていた転送済みの画像ファイルのファイル名および該ファイルのコピー元ファイルのファイルパスを記載したアルバムファイル（PCALBUM002.NHF８５）を作成し、記憶媒体６４内のALBUMフォルダ８３に記憶する。
【００８２】
また、デジタルカメラ１がPC５０と接続された際に、上述した以前に転送済みのコピーフォルダ（102COPY３１）とデジタルカメラ１の大容量記憶媒体２９のDCIMフォルダ７３内の対応するフォルダ（102COPY７２a）との内容が同様となるように変更しても良い。この場合、コピーフォルダ３１に、新規に画像を追加すると、新規に追加された画像については、デジタルカメラ１とPC５０とが接続された際にデジタルカメラ１に転送される。
【００８３】
上述したように、アルバム表示モードや、検索モードの際に、ファンクションメニューより「転送」処理を選択することにより一括してPCに転送した画像ファイルおよびPC５０からデジタルカメラ１へ転送した画像ファイルのリストは、デジタルカメラ１、PC５０それぞれでにアルバムファイルとして登録される。そのため、デジタルカメラ１とPC５０間で画像の対応関係が明確になり、ユーザーはデジタルカメラ１、PC５０での画像管理をより効率的に行なうことができる。
＜転送メイン処理＞
転送処理にメインフローを図６に示す。
【００８４】
転送処理サブルーチンが開始されると、ステップS５０でまずPC５０との接続処理が行なわれる。ステップS５１ではPC５０との接続処理が完了したか否かが判定される。PC５０との接続処理が完了している場合はステップS５３へ移り、PC５０との接続処理が完了していない場合はステップS５２へ移る。ステップS５２では、転送処理サブルーチンに入ってから所定時間経過したか否かの判定を行う。所定時間経過している場合は、転送処理サブルーチンを終了し、所定時間経過していない場合はステップS５０へ戻る。
【００８５】
ステップS５３では、EEPROM２７に送信リストがあるか否かの判定が行なわれる。EEPROM２７に送信リストがある場合はステップS５６の送信モード処理サブルーチンへ移り、EEPROM２７に送信リストがない場合はステップS５４へ移る。ステップS５４ではPC５０からのファイル受信指令を受けたか否かの判定を行う。PC５０からのファイル受信指令を受けた場合はステップS５７の受信モード処理サブルーチンへ移り、PC５０からのファイル受信指令を受けていない場合はステップS５５へ移る。ステップS５５では、電源釦２が押圧操作されたか又はモード（動作モード、再生モード）が変更されたか否かの判定が行なわれる。電源釦２が押圧操作されたか又はモードが変更された場合は転送処理サブルーチンを終了し、電源釦２が押圧操作されていなく且つモードが変更されていない場合はステップS５３へ移る。
＜送信モード処理のフロー＞
送信モード処理のフローを図７に示す。
【００８６】
転送モード処理サブルーチンへ移ると、まず、ステップS６０でEEPROM６０に転送リストBが記憶されているか否かの判定を行う。EEPROM６０に転送リストBが記憶されている場合はステップS６１へ移り転送リストBを読み込み、EEPROM６０に転送リストBが記憶されていない場合はステップS６２へ移り転送リストAを読込む。ステップS６３では、PC５０へファイル受信指令を送信する等PCとのデータ通信を開始するための通信準備処理が行なわれる。通信準備処理が終了するとステップS６４で、ステップS６１又はS６２で読込んだ転送リストに記載されている画像ファイルのPC５０への送信を開始する。ステップS６５では、PCへのファイル送信が完了したか否かが判定される。PC５０へのファイル送信が完了している場合は、PC５０へ送信完了指令を送信し、使用した送信リストを削除して送信モード処理を終了し、PC５０へのファイル送信が完了していない場合はファイル送信が完了するまで待機する。
【００８７】
上記のごとく、本実施の形態におけるデジタルカメラ１は、送信モードの際に転送リストAがあっても転送リストBを優先的に送信することができる。これにより、通常の転送処理とは別に、アルバムファイル、検索管理ファイルに記載の画像ファイルをPCに転送できる。
＜受信指令を受けたPCの受信処理のフロー＞
ステップS６３でのデジタルカメラ１から送信された受信指令を受けたPCでのファイル受信処理のフローを図９に示す。
【００８８】
デジタルカメラ１からの受信指令を受信すると、受信処理が開始される。まずステップS８０で、デジタルカメラ１との通信準備処理を行なわれる。ステップS８１で、ファイル
を受信するまで待機し、ファイルを受信すると受信処理を開始し、ステップS８２へ移る。ステップS８２では受信中のファイルが受信完了するまで待機し、受信完了するとステップS８３へ移る。ステップS８３では受信した画像ファイルの受信ファイルリストに書込む。ステップS８４で受信した画像ファイルをPC５０の所定の画像記憶領域（PICTフォルダ８１）に記憶する。ステップS８５では、デジタルカメラ１から受信完了指令を受信したか否かの判定が行なわれる。受信完了指令を受信した場合はステップS８６へ移り、受信完了指令を受信していない場合はステップS８１へ戻る。ステップS８６では受信ファイルリストよりアルバムファイル（PCALBUM001.NHF８４）を作成し、PC５０の所定のアルバムファイル記憶領域（ALBUMフォルダ８３）に記憶する。
＜受信モード処理のフロー＞
PC５０からのファイル受信処理のフローを図８に示す。
【００８９】
受信モード処理サブルーチンへ入ると、まず、ステップS７０で、PC５０とのデータ通信を開始するための通信準備処理が行なわれる。ステップS７１では、大容量記憶媒体２９のDCIMフォルダ７０内に新規にフォルダ（１０３COPYフォルダ）を作成する。ステップS７２では、ステップS７１で作成したフォルダのフォルダ名をPCに送信する。ステップS７３ではPCから送信された画像ファイルを受信するまで待機し、PCからの画像ファイルを受信すると受信処理が開始される。次にステップS７４で受信中のファイルの受信が完了するまで待機し、受信が完了するとステップS７５へ移る。ステップS７５では、受信完了したファイルのファイル名を受信リストに記録する。ステップS７６では、受信完了した画像ファイルを上記新規作成されたフォルダ（１０３COPYフォルダ）にコピーする。
【００９０】
ステップS７７では、PCからの送信完了指令を受信したか否かの判定が行なわれる。送信完了指令を受信した場合はステップS７８へ移り、送信完了指令を受信していない場合はステップS７３へ戻る。ステップS７８では、受信リストを基にアルバムファイルを作成し大容量記憶媒体２９のALBUMフォルダ７４に新規に記憶する。
＜デジタルカメラに画像ファイルを送信するPCの送信処理のフロー＞
デジタルカメラ１に画像ファイルを送信する際のPCの送信処理のフローを図１０(a)に示す。
【００９１】
PCでデジタルカメラ１への送信処理が開始されると、まずステップS９０で、デジタルカメラ１への受信指令の信号の送信や、デジタルカメラ１からのフォルダ名の受信等の送信開始処理が行なわれる。ステップS９１では、新規送信用のNEWフォルダ３２内に記憶されている画像を順次デジタルカメラ１に送信する。ステップS９２では、NEWフォルダ３２内の画像が全てデジタルカメラ１に送信されるまで待機し、全ての画像が送信完了すると、デジタルカメラ１に送信完了指令を送りステップS９３へ移る。ステップS９３ではNEWフォルダ３２のフォルダ名を、デジタルカメラ１から受信したフォルダ名に変更し、送信処理を終了し、デジタルカメラ１に転送した記憶媒体６４の１０３COPYフォルダ３２に記憶されている画像ファイルのファイル名およびファイルパスを記載したアルバムファイル（PCALBUM002.NHF８５）を作成し、記憶媒体６４内のALBUMフォルダ８３に記憶する。
＜転送用NEWフォルダへの画像記録処理＞
PC５０の記憶媒体内６４に記憶されている画像ファイルを転送用のNEWフォルダ３２の中にコピーする（記憶させる）際のPC５０でコピー処理のフローを図１０(ｂ)に示す。
【００９２】
ユーザーにより、転送用NEWフォルダ３２内に画像ファイルをコピー（あるいは移動）するよう指示されると、PC５０はステップS９４で、該画像ファイルが、入出力部６６に接続されているデジタルカメラ１の背面液晶１１に表示可能か否かを判定する。表示可能である場合はステップS９６へ移り該画像データをNEWフォルダ３２内に記憶させ、表示不可能である場合はステップS９５へ移り、該画像ファイルを、入出力部６６に接続されているデジタルカメラ１の背面液晶１１に表示可能な形式に変換した後にステップS９６へ移り該変換された画像データをNEWフォルダ３２へ記憶する。
【００９３】
以上、本発明をレンズ一体型デジタルカメラに適用した場合について説明したが、これに限るものでは無い。
上述では、PC５０からデジタルカメラ１へ画像データを送信する際は、一端転送用NEWフォルダを記憶媒体６４内のPICTフォルダの中に作成し、該PICTフォルダ内の画像データをデジタルカメラ１へ転送したが、本発明はこれに限るものではなく、例えば転送用のフォルダをデジタルカメラ１の大容量記憶媒体２９内に作成しても良い。この場合、画像管理ソフトウェアで  PCリンクウインドを開いた際は、画像管理ソフトウェアは、接続されているデジタルカメラ１の大容量記憶媒体２９のDCIMフォルダ７０内に以前にコピーしたコピーフォルダがないかを検索し、以前にコピーした画像を有するコピーフォルダがある場合は該コピーフォルダをPCリンクウインド３０に表示するとする。画像データを転送する際は、ユーザーは画像管理ソフトウェアを操作することにより転送用NEWフォルダ（例えば103COPYフォルダ７２ｂ）を大容量記憶媒体２９内に作成する。ユーザーは、PC５０の記憶媒体６４に記憶されている転送したい画像データを前記NEWフォルダにコピー（又は移動）する。画像管理ソフトウェエアは、ユーザーの指示によりNEWフォルダに画像データをコピーする際に、該データがデジタルカメラ１で表示可能なファイルか否かがチェックし、表示できない画像ファイルである場合は、該画像ファイルをデジタルカメラ１で表示可能なファイル形式に変換したのち転送する。転送（コピー）が終了すると、画像管理ソフトウエェアによって、大容量記憶媒体２９のDCIMフォルダ７０のNEWフォルダに新たに転送された画像ファイルのファイル名およびファイルパスを記載したアルバムファイルを作成し、大容量記憶媒体２９のALMUMフォルダに記憶し、さらに、転送した転送元画像ファイルの記憶媒体６４内でのファイル名およびファイルパスを記載したアルバムファイルを作成し記憶媒体６４内のALBUMフォルダ８３へ記憶する。
【００９４】
また、本発明をレンズ着脱式デジタルカメラや、ビデオカメラ等の撮像装置に適用しても良い。
また、本発明を適用したデジタルカメラ１と画像データを送受信する機器として汎用のパーソナルコンピュータPC５０を例としたがこれに限るものではなく、デジタルカメラ１と画像を送受信可能で記憶媒体を有する記憶装置であればどのようなものでも良い。
【図面の簡単な説明】
【００９５】
【図１】デジタルカメラ１の斜視図
【図２】デジタルカメラ１のブロック図
【図３】デジタルカメラ１のメイン処理
【図４】静止画撮像処理サブルーチンでの処理のフロー
【図５】動画撮像処理サブルーチンでの処理のフロー
【図６】転送処理のメインフロー
【図７】送信モード処理のフロー
【図８】PCからのファイル受信処理のフロー
【図９】受信処理のフロー
【図１０】デジタルカメラ１に画像ファイルを送信する際のPCの送信処理のフロー
【図１１】PCリンクウインド
【図１２】画像表示モードでの処理のメインフロー
【図１３】１コマ表示モードにおける処理のフロー
【図１４】４コマ表示モードにおける処理のフロー
【図１５】アルバム表示モードにおける処理のフロー
【図１６】拡大表示処理のフロー
【図１７】アルバムメニューおよびファンクションメニュー
【図１８】検索モードにおける処理のフロー
【図１９】検索メニュー
【図２０】選択画像表示処理における処理のフロー
【図２１】ファンクション処理のフロー
【図２２】デジタルカメラ1およびPC５０外観図
【図２３】PC５０ブロック図
【図２４】記憶媒体のディレクトリツリー
【図２５】記憶媒体のディレクトリツリー
【符号の説明】
【００９６】
１  デジタルカメラ
２  電源釦
３  レリーズ釦
４  モード切換スイッチ
５  ズームスイッチ
６  ファンクション釦
７  リングセンサ
８  決定釦
９  メニュー釦
１０  削除釦
１１  背面液晶
１２  入出力端子
２０  制御部
２１  撮像素子
２２  画像処理部
２３  液晶制御部
２５  RAM
２６  ROM
２７  EEPROM
２８  外部メモリ
２９  大容量記憶媒体
３０  操作部
３１  入出力部
５０  PC
５１  本体部
５２  表示本体部
５２a  表示部
６０  制御部
６１  表示制御部
６２  RAM
６３  ROM
６４  記憶媒体
６５  操作部
６６  入出力部
【図１】
2006331413.tif 000003
【図２】
2006331413.tif 000004
【図３】
2006331413.tif 000005
【図４】
2006331413.tif 000006
【図５】
2006331413.tif 000007
【図６】
2006331413.tif 000008
【図７】
2006331413.tif 000009
【図８】
2006331413.tif 000010
【図９】
2006331413.tif 000011
【図１０】
2006331413.tif 000012
【図１１】
2006331413.tif 000013
【図１２】
2006331413.tif 000014
【図１３】
2006331413.tif 000015
【図１４】
2006331413.tif 000016
【図１５】
2006331413.tif 000017
【図１６】
2006331413.tif 000018
【図１７】
2006331413.tif 000019
【図１８】
2006331413.tif 000020
【図１９】
2006331413.tif 000021
【図２０】
2006331413.tif 000022
【図２１】
2006331413.tif 000023
【図２２】
2006331413.tif 000024
【図２３】
2006331413.tif 000025
【図２４】
2006331413.tif 000026
【図２５】
2006331413.tif 000027